(57)【要約】【課題】再生時に動画を表示する際に、その動画の全体の内容が把握できるように表示する。【解決手段】複数のフレーム画像が繋ぎ合わされて記録されている動画ファイルから１枚のインデックス画像を作成する画像編集装置。インデックス画像の分割数を決定する分割数決定手段と、インデックス画像の画像サイズを決定する画像サイズ決定手段と、分割数決定手段によって決定した分割数の枚数だけ動画ファイルからフレーム画像を等間隔で抽出する抽出手段と、決定したインデックス画像の画像サイズ及び分割数と、抽出した各フレーム画像の画像サイズとに基づいて各フレーム画像をリサイズするリサイズ手段と、リサイズ後の各フレーム画像を所定の順番に配置して１枚のインデックス画像を作成するインデックス画像作成手段と、を備えた。【選択図】　図４
2004120281.tif 000002
【特許請求の範囲】
【請求項１】
複数のフレーム画像が繋ぎ合わされて記録されている動画ファイルから１枚のインデックス画像を作成する画像編集装置において、
前記インデックス画像の分割数を決定する分割数決定手段と、
前記インデックス画像の画像サイズを決定する画像サイズ決定手段と、
前記分割数決定手段によって決定した分割数の枚数だけ前記動画ファイルからフレーム画像を等間隔で抽出する抽出手段と、
前記決定したインデックス画像の画像サイズ及び分割数と、前記抽出した各フレーム画像の画像サイズとに基づいて各フレーム画像をリサイズするリサイズ手段と、
前記リサイズ後の各フレーム画像を所定の順番に配置して前記１枚のインデックス画像を作成するインデックス画像作成手段と、
を備えたことを特徴とする画像編集装置。
【請求項２】
前記作成したインデックス画像を前記動画ファイルと関連付けて静止画ファイルとして記録メディアに記録する記録手段を有する請求項１に記載の画像編集装置。
【請求項３】
前記抽出した各フレーム画像の並び順番を決定する手段を有し、前記インデックス画像作成手段は、前記リサイズ後の各フレーム画像を前記決定した並び順番にしたがって配置して前記１枚のインデックス画像を作成する請求項１又は２に記載の画像編集装置。
【請求項４】
前記動画ファイルから前記インデックス画像を作成するためのフレーム画像の範囲を決定する範囲決定手段を有し、前記抽出手段は、前記分割数決定手段によって決定した分割数の枚数だけ前記決定したフレーム画像の範囲から等間隔でフレーム画像を抽出する請求項１、２又は３に記載の画像編集装置。
【発明の詳細な説明】
【０００１】
【発明の属する技術分野】
本発明は画像編集装置に係り、特に動画を再生するか否かの選択が容易な画像編集装置に関する。
【０００２】
【従来の技術】
近年、デジタルカメラ等の電子カメラにも動画撮影機能が付き、静止画及び動画の記録再生ができるようになってきている。この種のデジタルカメラにおいて、静止画が記録されたファイルと動画が記録されたファイルとが混在して格納されたメモリカード等から任意のファイルを選択し、静止画又は動画を再生できるようになっている。
【０００３】
たとえば、映像記録媒体に記録された動画の検索を容易に行い、動画のタイトル用静止画のみを自動的にプリントできるシステムが提案されている（特許文献１参照。）。
【０００４】
また、連写時撮影した映像を、１画面表示できるように記録することにより記録媒体に無駄なく効率よく連写記録ができ、連写時の映像を１画面で再生できる電子カメラが提案されている（特許文献２参照。）。
【０００５】
【特許文献１】
特開平９−１１６８５４号公報
【０００６】
【特許文献２】
特開平７−１１１６２７号公報
【０００７】
【発明が解決しようとする課題】
しかしながら、電子カメラ等で撮影された画像のうち、静止画はサムネイル表示により内容の確認が容易であるが、動画はサムネイル表示のみでは内容の確認が容易でない場合が多い。
【０００８】
また、動画の画像データより静止画としてサムネイル表示を行なう場合、必用コマ数を選択して合成する作業が必要になるが、従来この種の表示は選択に自由度が少なく、動画の画像データの内容把握が容易ではない場合が多かった。
【０００９】
本発明はこのような事情に鑑みてなされたもので、再生時に動画を表示する際に、その動画の全体の内容が把握できるように表示することができる画像編集装置を提供することを目的とする。
【００１０】
【課題を解決するための手段】
前記目的を達成するために、本発明は、複数のフレーム画像が繋ぎ合わされて記録されている動画ファイルから１枚のインデックス画像を作成する画像編集装置において、前記インデックス画像の分割数を決定する分割数決定手段と、前記インデックス画像の画像サイズを決定する画像サイズ決定手段と、前記分割数決定手段によって決定した分割数の枚数だけ前記動画ファイルからフレーム画像を等間隔で抽出する抽出手段と、前記決定したインデックス画像の画像サイズ及び分割数と、前記抽出した各フレーム画像の画像サイズとに基づいて各フレーム画像をリサイズするリサイズ手段と、前記リサイズ後の各フレーム画像を所定の順番に配置して前記１枚のインデックス画像を作成するインデックス画像作成手段と、を備えたことを特徴とする画像編集装置を提供する。
【００１１】
本発明によれば、画像編集装置は分割数決定手段と、抽出手段と、リサイズ手段と、インデックス画像作成手段とを備えており、これらの構成により、動画を構成するコマの数、コマの配置、及びインデックス画像の表示画素数を設定できるので、動画の全体の内容が容易に把握できるように表示することができる。すなわち、録画時間が長い場合には、動画を構成するコマの数を多めに設定することにより、動画の全体の内容の把握が容易になる。一方、録画時間が短い場合には、動画を構成するコマの数を少なめに設定しても動画の内容の把握は問題ない。また、動画を構成するコマの数に応じてインデックス画像の表示画素数を設定できるので、内容の把握が一層容易になる。
【００１２】
また、インデックス画像の表示画素数を任意に設定可能とすることにより、プリンターにアウトプットする際における画像の質を所望のレベルに選択できるというメリットも得られる。
【００１３】
本発明において、前記作成したインデックス画像を前記動画ファイルと関連付けて静止画ファイルとして記録メディアに記録する記録手段を有することが好ましい。すなわち、インデックス画像を動画ファイルと関連付けて静止画ファイルとして記録できれば、インデックス画像の再生の際の操作が容易となる。
【００１４】
また、本発明において、前記抽出した各フレーム画像の並び順番を決定する手段を有し、前記インデックス画像作成手段は、前記リサイズ後の各フレーム画像を前記決定した並び順番にしたがって配置して前記１枚のインデックス画像を作成することが好ましい。すなわち、動画を構成するコマが決定した並び順番にしたがって配されれば、動画の内容の把握が一層容易になる。
【００１５】
また、本発明において、前記動画ファイルから前記インデックス画像を作成するためのフレーム画像の範囲を決定する範囲決定手段を有し、前記抽出手段は、前記分割数決定手段によって決定した分割数の枚数だけ前記決定したフレーム画像の範囲から等間隔でフレーム画像を抽出することが好ましい。すなわち、フレーム画像の範囲を決定する範囲決定手段を有していれば、動画ファイルのうち所望の範囲のみを再生できる。また、この範囲から等間隔でフレーム画像を抽出できれば、動画の内容の把握が一層容易になる。
【００１６】
【発明の実施の形態】
以下、添付図面に従って本発明に係る画像編集装置の好ましい実施の形態について詳説する。図１及び図２はそれぞれ本発明に係る画像編集装置が適用される電子カメラ（デジタルカメラ）の外観を示す正面図及び背面図である。
【００１７】
これらの図に示されるように、この電子カメラは動画／静止画の記録再生が可能なデジタルカメラ１であり、カメラ前面には、図１に示されるように撮影レンズ１０、ファインダ窓１２、及び補助光発光部１４が設けられている。なお、補助光発光部１４としては、静止画専用のカメラの場合にはストロボ装置が用いられ、動画静止画兼用のカメラの場合には白色の発光ダイオード又はランプなどが用いられる。
【００１８】
一方、カメラ背面には、図２に示されるように録画（時間）や日付、メモリの残りなどを表示する表示用パネル２０、ファインダ接眼部２２、ズームボタン２４、メニューキー２６、実行キー２８、マルチファンクションの十字キー３０、キャンセルキー３２、画像モニタ３４、及びスピーカ３６が設けられている。
【００１９】
また、カメラ上面には、図１及び図２に示されるように電源スイッチ兼モード切換スイッチ４０、及びシャッタボタン／録画開始終了ボタン４２が設けられ、更に図１上のカメラ右側面には、イヤホーンジャック４４及び記録メディア挿入部４６が設けられている。
【００２０】
上記電源スイッチ兼モード切換スイッチ４０は、電源ＯＦＦとなる中立位置と、電源ＯＮかつ静止画撮影モードとなる位置と、電源ＯＮかつ動画撮影モードとなる位置と、電源ＯＮかつ再生モードの４ポジションを切り換える。なお、電源スイッチ兼モード切換スイッチ４０の代わりに電源ＯＮ／ＯＦＦのみのスイッチとし、前記静止画撮影モード、動画撮影モード、及び再生モードは他のモードダイヤル等で切り換えてもよい。
【００２１】
図３は図１及び図２に示したデジタルカメラ１の内部構成を示すブロック図である。このデジタルカメラ１は、撮影レンズ１０、補助光発光部（ストロボ）１４、画像モニタ３４、マルチファンクションの十字キー３０、電源スイッチ兼モード切換スイッチ４０等の操作スイッチ群４１、シャッタボタン／録画開始終了ボタン４２、シャッター・絞り５０、ＣＣＤ等の撮像デバイス５２、アナログ信号処理回路５４、Ａ／Ｄ変換器５６、デジタル信号処理回路５８、メモリ６０、圧縮伸張回路６２、内蔵メモリ又はメモリカード６４、駆動回路６６、及びＣＰＵ（中央処理装置）６８等から構成されている。
【００２２】
ＣＰＵ６８は、操作スイッチ群４１、シャッタボタン／録画開始終了ボタン４２等からの入力信号に基づいてカメラ全体の各回路を統括制御する。いま、電源スイッチ兼モード切換スイッチによって電源がＯＮされ静止画撮影モード又は動画撮影モードが設定されると、シャッタボタン／録画開始終了ボタンの操作に基づいて静止画又は動画の撮影が行われ、一方、再生モードが設定されると、静止画又は動画の再生が行われる。
【００２３】
静止画撮影モード又は動画撮影モード時に撮影レンズ１０、シャッタ・絞り５０を通った光は、撮像デバイス５２の上に焦点を結ぶ。ここで、シャッタは撮像デバイスから信号を読み出すときに光が撮像デバイス５２に入射しスミアが発生するのを防止するものであるが、撮像デバイス５２の構成により必ずしも必要なものではない。また、絞りも単一の絞りのものや、複数の絞りが切り換えできるようなものが考えられる。補助光発光部１４は、低照度時に又は強制的に補助光を発光し、被写体を照明する。補助光発光部１４はストロボ以外の補助光でもよいし、撮像デバイスの感度が高ければ省略することもできる。
【００２４】
撮像デバイス５２は、駆動回路６６内のタイミング発生回路（図示せず）によって発生したタイミングで駆動され、画像信号を出力する。なお、駆動回路６６は、撮影レンズ１０、シャッタ・絞り５０、補助光発光部１４などの駆動回路も含む。
【００２５】
撮像デバイス５２から出力された画像信号は、アナログ信号処理回路５４でアナログ信号処理された後、Ａ／Ｄ変換器５６でデジタル信号に変換されてデジタル信号処理回路５８に加えられ、ここでデジタル処理が施される。デジタル処理された画像データは、メモリ６０に一時的に記録される。ここで、メモリ６０内の画像データを読み出し、画像モニタ３４に出力することにより動画又は静止画を画像モニタ３４に表示させることができる。
【００２６】
また、撮影後の画像データは圧縮伸張回路６２で圧縮され、内蔵メモリ又はメモリカード６４に記録される。撮影モードによっては圧縮の過程を省いて記録されることもある。また、再生モード時には内蔵メモリ又はメモリカード６４に記録されている画像データが圧縮伸張回路６２によって伸張処理された後、メモリ６０を介して画像モニタ３４に出力され、画像モニタ３４に再生画像が表示されるようになっている。
【００２７】
以上の構成によって、インデックス画像の分割数を決定する分割数決定手段、インデックス画像の画像サイズを決定する画像サイズ決定手段、分割数決定手段によって決定した分割数の枚数だけ動画ファイルからフレーム画像を等間隔で抽出する抽出手段、決定したインデックス画像の画像サイズ及び分割数、抽出した各フレーム画像の画像サイズとに基づいて各フレーム画像をリサイズするリサイズ手段、リサイズ後の各フレーム画像を所定の順番に配置して１枚のインデックス画像を作成するインデックス画像作成手段、等が形成されている。
【００２８】
上記構成のデジタルカメラ１において、静止画撮影モードが選択され、シャッタボタン／録画開始終了ボタン４２が押下されると、１コマ分の画像が撮影され、その画像（静止画）にファイル名が付されて内蔵メモリ又はメモリカード６４に記録される。一方、動画撮影モードが選択され、シャッタボタン／録画開始終了ボタン４２が押下されると、再びシャッタボタン／録画開始終了ボタン４２が押下されるまでの期間、所定のフレームレートで画像が連続撮影され、その連続画像（動画）にファイル名が付されて内蔵メモリ又はメモリカード６４に記録される。
【００２９】
動画撮影モードが選択された場合には、この動画はたとえば１秒間で１０コマの静止画より構成される。また、動画の最短撮影時間を設定しておいてもよい（たとえば、３秒）。この場合には、動画は３０コマの静止画より構成される。各静止画の画素は、たとえば２４００×１８００ピクセルと設定できる。
【００３０】
なお、上記静止画が記録されたファイル及び動画が記録されたファイルは、静止画か動画かにかかわらず撮影順にホルダーに格納される。また、動画撮影モード時には、図示しない音声録音手段によって音声も同時に記録でき、後述する再生モード時には音声付き動画として再生できるようになっている。
【００３１】
次に、上記内蔵メモリ又はメモリカード６４に記録された静止画や動画等を再生する場合について説明する。
【００３２】
再生モードによる画像再生には、１コマ再生と、複数コマ（たとえば、４コマ）からなるインデックス画像を再生するインデックス再生と、１コマ再生時又はインデックス再生時に動画の１コマが表示された状態で、動画の再生が指示された場合に行われる動画再生とがある。なお、１コマ再生でのコマ送り時又はインデックス再生時に表示される動画の１コマとしては、たとえば動画の最初の１コマ又は動画全体の長さの約１／２に位置する１コマが考えられる。
【００３３】
再生モードが選択されると、自動的に１コマ再生となり、最初のファイルの１コマが選択され画像モニタ３４に再生される。なお、最後のファイルの１コマを画像モニタ３４に再生させてもよい。ここで、別のコマの１コマ再生を行う場合には、マルチファンクションの十字キー３０の左／右キーでコマ送りする。これにより、再生画が順次コマ送りされる。
【００３４】
また、インデックス再生が指示されると、複数コマからなるインデックス画像が表示される。このインデックス画像上で、十字キー３０の上／下キー及び左／右キーで、再生したいコマを選択することができる。なお、選択されたコマは、縁取りがされ、他のコマと区別される。また、インデックス画像の範囲を越えて十字キー３０の上／下キー及び左／右キーが操作されると、インデックス画面が切り換えられる。
【００３５】
インデックス再生において、前記の各手段（分割数決定手段、画像サイズ決定手段等）により、動画を構成するコマの数、コマの配置、及び表示画素数を任意に設定できるようになっている。コマの数としては、縦２コマ、横２コマの４コマ表示（図４に例示）、縦３コマ、横３コマの９コマ表示（図５に例示）、縦５コマ、横５コマの２５コマ表示、等が選択できる。コマの配置としては、格子状の縦横均等配置（図４、図５に例示）、渦巻き状の配置で画面の周辺から中心に向かってコマのサイズが縮小していく配置（図示略）等が選択できる。
【００３６】
また、インデックス再生において、動画を構成するコマを一定の時系列的間隔で配する（図４に例示）よう設定できるようになっている。この場合、動画の録画時間に応じて適切な時系列的間隔（図４では、５コマ毎）を入力して設定する。
【００３７】
インデックス再生において、静止画内に動画を構成するコマの時系列的表示をすることは好ましい。すなわち、動画を構成するコマは、通常は左上から右上に、次いで、左上２段目から右上２段目へと横書きの文字列と同様の順で表示されるのが一般的であるが（図４、図５（ａ）に例示）、その場合でもコマの時系列的表示がなされていれば、動画の内容の把握が一層容易になる。また、たとえば、動画を構成するコマが渦巻き状に配列されている場合（図５（ｂ）に例示）等の場合には、コマの時系列的表示がなされていれば、内容の把握が容易になる。
【００３８】
また、静止画の表示画素数を任意に設定可能とすることにより、プリンターにアウトプットする際における画像の質を所望のレベルに選択できるというメリットも得られる。
【００３９】
前述したように、静止画が記録されたファイルと動画が記録されたファイルとは、撮影順に応じて混在して内蔵メモリ又はメモリカード６４に格納されており、前記１コマ再生では、コマ送り時に静止画や動画の１コマとが混在して表示される。同様に、インデックス再生では、インデックス画像中に静止画と動画の１コマとが混在して表示される場合がある。
【００４０】
そこで、１コマ再生又はインデックス再生時に、静止画と動画の１コマとが直観的に区別できるように両者の表示形態を変えて表示するようにしている。
【００４１】
図６乃至図８はそれぞれインデックス再生時に静止画と動画との表示形態を変えて表示されたインデックス画像を示す図である。
【００４２】
図６に示される実施の形態では、インデックス画像中の静止画の画像７０は、写真を連想させるように白枠付きの画像として表示され、一方、動画の１コマの画像７２は、映画のフイルムを連想させるように１コマの左右両端にパーフォレーション７２Ａが合成された画像として表示される。これにより、インデックス画像中の各コマが静止画であるか、又は動画の１コマであるかを直観的に認識できるようにしている。
【００４３】
図７に示される実施の形態では、インデックス画像中の静止画の画像７０は、図６の場合と同様に白枠付きの画像として表示され、一方、動画を示す画像７４は、画像に動きが生じるように動画を構成する数コマが繰り返し再生されている。なお、上記動画を構成する数コマは、動画の連続するコマに限らず、動きを強調するために比較的時間の離れたコマとしてもよい。
【００４４】
図８に示される実施の形態では、インデックス画像中の静止画の画像７６及び動画の１コマの画像７８は、それぞれ白枠なしの画像として表示されているが、動画の１コマの画像７８は、縦に振動するように表示されている。この振動は、ランダムに振動させると壊れているような印象を与えかねないので、８ミリなどの昔のフイルムを再生するときのように、細かく縦に振動させたり、時々大きく縦に振動させて動きに雰囲気を出すようにしてもよい。このように画面を振動させることにより、動画の１コマであることが認識できるようにしている。
【００４５】
なお、図６の動画の１コマの画像７２に合成したパーフォレーション７２Ａを、図７の動画を示す画像７４や図８の動画の１コマの画像７８に合成するようにしてもよく、また、この場合にパーフォレーションが縦に動くようにしてもよい。
【００４６】
上記図６乃至図８では、それぞれインデックス画像上での静止画と動画の表示形態を示したが、１コマ再生時でも静止画と動画の１コマとが認識できるように上記のように静止画と動画とで表示形態を変えて表示される。
【００４７】
また、１コマ再生時に静止画は１コマを表示し、動画は図９に示されるように４画面マルチ画像の表示としてもよい。これによれば、１コマ再生時のコマ送り時に１コマが表示される場合には静止画、４画面マルチ画像が表示される場合には動画（動画中の４コマ）であることが認識できる。
【００４８】
次に、動画を示すマルチ画像（この場合は、４画面マルチ画像）の場合について説明する。この４画面マルチ画像は、図９に示されるように動画を構成する全コマのうちの撮影の最初の方のコマ画像８０Ａ、中間のコマ画像８０Ｂ、８０Ｃ、及び最後の方のコマ画像８０Ｄから構成されている。
【００４９】
たとえば、動画が４００コマから構成されている場合には、４００コマを４分割した１〜１００コマ、１０１〜２００コマ、２０１〜３００コマ、及び３０１〜４００コマの各コマ群からそれぞれ１コマずつ選択し、この選択した４コマから４画面マルチ画像を構成する。
【００５０】
このように動画に関連する４画面マルチ画像を４コマ漫画のように表示することにより、動画再生する前に動画全体の内容を把握することができる。
【００５１】
なお、この実施の形態では、４画面マルチ画像について説明したが、既述のように、マルチ画面を構成するコマ数は４コマに限定されず、たとえば、９画面マルチ画像としてもよい。この場合、９画面マルチ画像は、動画を構成する全コマを９等分し、９等分した各コマ群から１コマずつ取り出して構成する。
【００５２】
また、動画撮影時にフレームインしたり、ワイプ表現した場合には、最初の１コマは意味をもたず、同様に最後の１コマも意味をもたない場合があるため、動画を構成する全コマから最初の複数コマ及び最後の複数コマを除いたコマからマルチ画像を構成してもよい。なお、上記マルチ画像は、予め作成しておき、その動画のファイルに関連付けて記録しておいてもよい。
【００５３】
更に、この実施の形態では、動画の全コマから適宜抽出した複数コマに基づいてマルチ画像を構成し、そのマルチ画像を表示するようにしたが、これに限らず、動画の全コマのうち一部の所定範囲より抽出した複数コマに基づいてマルチ画像を構成し、そのマルチ画像を表示するようにしてもよい。また、複数コマを所定のインターバルで繰り返しコマ送り表示するようにしてもよい。特に、インデックス再生時における１コマは小さいため、その１コマ内に複数コマをマルチ画面で表示するよりも順次表示する方が好ましい。
【００５４】
次に、図１０に示されるフローチャートを参照しながら静止画及び動画の画像再生の手順について説明する。
【００５５】
図１０に示されるように、再生モードが選択されて再生モードが開始されると（ステップＳ１０）、前述したように自動的に１コマ再生となり、内蔵メモリ又はメモリカード６４内の最初のファイル（最初のコマ）が選択される（ステップＳ１２）。
【００５６】
選択されたファイルが静止画のファイルか動画のファイルかを自動判別し（ステップＳ１４）、静止画のファイルの場合には、そのファイルの画像データに基づいて静止画を画像モニタ３４に表示させる（ステップＳ１６）。その後、マルチファンクションの十字キー３０の左／右キーの操作により、次のコマを表示させるか、前のコマを表示させるかが選択される（ステップＳ１８）。そして、十字キー３０の右キーが操作されると、次のファイル（次のコマ）が選択された後（ステップＳ２０）、ステップＳ１４に戻り、十字キー３０の左キーが操作されると、前のファイル（前のコマ）が選択された後（ステップＳ２２）、ステップＳ１４に戻る。
【００５７】
一方、選択されたファイルが動画のファイルの場合には、そのファイルの画像データに基づいて動画の一部を再生する（ステップＳ２４）。この動画の一部再生により、動画の１コマにパーフォレーションが合成されて表示され（図６の画像７２参照）、又は動画を構成する数コマが繰り返し表示され（図７の画像７４参照）、又は動画の１コマが縦に振動するように表示され（図８の画像７８参照）、又は動画中の４コマが４画面マルチ画像で表示される（図９参照）。
【００５８】
ここで、動画の一部再生の態様が適正か否かの判断がユーザーに求められ（ステップＳ２５）、適正（変更不要）な場合には次のステップに進み、不適正（変更要）な場合には表示態様が設定し直される（ステップＳ２５Ａ）。そして、適正となるまでこのループが回される。
【００５９】
ステップＳ２４での動画の一部再生、及びステップＳ２５での動画の表示態様に基づいて、ユーザーはその一部再生された動画の全コマを再生させる動画再生を行うか、動画再生せずにコマ送りするかを選択する（ステップＳ２６）。そして、動画再生が選択指示されると、選択された動画ファイルの画像データに基づいて動画の最初から最後まで連続再生する（ステップＳ２８）。その後、ステップＳ３０で、再度動画再生を行うか、コマ送りするかを選択される。
【００６０】
ステップＳ２６又はステップＳ３０において、十字キー３０の右キーが操作されると、次のコマが選択された後（ステップＳ２０）、ステップＳ１４に戻り、十字キー３０の左キーが操作されると、前のコマが選択された後（ステップＳ２２）、ステップＳ１４に戻る。
【００６１】
なお、ステップＳ２４で動画の一部再生を行ったのち、動画再生の指示入力があった場合のみ動画再生させるようにしたのは、再生を希望する動画のみを選択的に動画再生できるようにするためである。また、動画再生が一旦開始されると、ＣＰＵの負荷が大きくなり、動画再生の中断のスイッチ指示を素早く反映させることができなくなり、動画再生が終了するまでコマ送りができなくなる等の不具合があるからである。
【００６２】
以上、図１０のフローチャートにより説明された静止画及び動画の画像再生の手順は一例であり、他の異なる態様も採用できる。たとえば、図１等に示したデジタルカメラ１は、動画撮影時に音声付き動画として内蔵メモリ又はメモリカード６４に記録するようにしている。したがって、この機能を生かすべく、内蔵メモリ又はメモリカード６４に記録された音声付き動画の再生時に、音声付き動画再生と音声無し動画再生とを適宜選択できるようにしてもよい。
【００６３】
更に、静止画撮影モード時にも音声が記録でき、静止画の１コマ再生時に音声を再生できる場合にも、音声付き静止画と音声無し静止画とを選択できるようにしてもよい。
【００６４】
また、この実施の形態では、本発明に係る画像編集装置が適用されるデジタルカメラについて説明したが、デジタルカメラに限らず、画像編集機能を有する画像再生装置、又は該画像再生装置を含む装置であれば、如何なる装置でも本発明が適用できる。
【００６５】
【発明の効果】
以上説明したように、本発明によれば、分割数決定手段と、抽出手段と、リサイズ手段と、インデックス画像作成手段とを備えており、これらの構成により、動画を構成するコマの数、コマの配置、及びインデックス画像の表示画素数を設定可能とできるので、動画の全体の内容が容易に把握できるように表示することができる。すなわち、録画時間が長い場合には、動画を構成するコマの数を多めに設定することにより、動画の全体の内容の把握が容易になる。一方、録画時間が短い場合には、動画を構成するコマの数を少なめに設定しても動画の内容の把握は問題ない。また、動画を構成するコマの数に応じてインデックス画像の表示画素数を設定できるので、内容の把握が一層容易になる。
【００６６】
また、インデックス画像の表示画素数を任意に設定可能とすることにより、プリンターにアウトプットする際における画像の質を所望のレベルに選択できるというメリットも得られる。
【図面の簡単な説明】
【図１】本発明に係る画像編集装置が適用されるデジタルカメラの外観を示す正面図
【図２】図１に示したデジタルカメラの背面図
【図３】図１に示したデジタルカメラの内部構成を示すブロック図
【図４】インデックス画像の一例を示す図
【図５】インデックス画像の一例を示す図
【図６】インデックス再生時に静止画と動画との表示形態を変えて表示したインデックス画像の他の例を示す図
【図７】インデックス再生時に静止画と動画との表示形態を変えて表示したインデックス画像の他の例を示す図
【図８】インデックス再生時に静止画と動画との表示形態を変えて表示したインデックス画像の更に他の例を示す図
【図９】コマ送り再生時に動画を４画面マルチ画像で表示した図
【図１０】静止画及び動画の画像再生の手順の一例を示すフローチャート
【符号の説明】
１…デジタルカメラ、１０…撮影レンズ、３０…マルチファンクションの十字キー、３４…画像モニタ、３６…スピーカ、４０…電源スイッチ兼モード切換スイッチ、４２…シャッタボタン／録画開始終了ボタン、４４…イヤホーンジャック、４６…記録メディア挿入部、５２…撮像デバイス、５４…アナログ信号処理回路、５８…デジタル信号処理回路、６４…内蔵メモリ又はメモリカード、６８…ＣＰＵ（中央処理装置）、７０、７６…静止画の画像、７２、７８…動画の１コマの画像、７２Ａ…パーフォレーション、７４…動画を示す画像、８０Ａ〜８０Ｄ…動画を示す４画面マルチ画像の各コマ画像
【図１】
2004120281.tif 000003
【図２】
2004120281.tif 000004
【図３】
2004120281.tif 000005
【図４】
2004120281.tif 000006
【図５】
2004120281.tif 000007
【図６】
2004120281.tif 000008
【図７】
2004120281.tif 000009
【図８】
2004120281.tif 000010
【図９】
2004120281.tif 000011
【図１０】
2004120281.tif 000012